(57)【要約】【課題】複数の照明ユニットが連結された場合に、光源の温度上昇を抑制することと、照明装置全体の寸法の拡大を抑制することとを両立する上で有利になる照明装置を提供する。【解決手段】照明装置１Ｂは、複数連結可能な照明ユニット２を備える。照明ユニット２は、ユニット本体３と、ユニット本体３に支持された光源基板と、ユニット３本体に支持され、光源基板で発生した熱を散逸させる放熱フィン５とを備える。ユニット本体３は、照明ユニット２が他の照明ユニット２と連結されたときに他の照明ユニット２と向かい合う接合部６ａ，７ａを備える。接合部６ａ，７ａは、切欠きまたは開口により形成された通気部６ｂ，７ｂを有する。複数の照明ユニット２が連結されたときに空気が通気部６ｂ，７ｂを通ってユニット本体３の外部空間と放熱フィン５との間を移動可能である。【選択図】図５
2020042919.tif 000002
【特許請求の範囲】
【請求項１】
複数連結可能な照明ユニットを備える照明装置であって、
前記照明ユニットは、
ユニット本体と、
前記ユニット本体に支持された光源基板と、
前記ユニット本体に支持され、前記光源基板で発生した熱を散逸させる放熱フィンと、
を備え、
前記ユニット本体は、前記照明ユニットが他の照明ユニットと連結されたときに前記他の照明ユニットと向かい合う接合部を備え、
前記接合部は、切欠きまたは開口により形成された通気部を有し、
複数の前記照明ユニットが連結されたときに空気が前記通気部を通って前記ユニット本体の外部空間と前記放熱フィンとの間を移動可能である照明装置。
【請求項２】
前記ユニット本体は、前記光源基板を支持するユニットベースを備え、
前記ユニットベースが有する前記接合部に前記通気部が形成されている請求項１に記載の照明装置。
【請求項３】
前記ユニット本体は、前記光源基板を支持するユニットベースと、前記ユニットベースに対して前記放熱フィンを間に挟んで反対側にあるユニットカバーとを備え、
前記ユニットカバーが有する前記接合部に前記通気部が形成されている請求項１に記載の照明装置。
【請求項４】
前記ユニット本体は、前記光源基板を支持するユニットベースと、前記ユニットベースに対して前記放熱フィンを間に挟んで反対側にあるユニットカバーとを備え、
前記ユニットベースが有する前記接合部と、前記ユニットカバーが有する前記接合部とのそれぞれに前記通気部が形成されている請求項１に記載の照明装置。
【請求項５】
他の照明ユニットと連結されていない前記接合部の前記通気部を塞ぐ閉塞部材を備える請求項１から請求項４のいずれか一項に記載の照明装置。
【請求項６】
前記ユニットベースと、前記ユニットカバーとの間に掛け渡すように取り付け可能な補強部材を備え、
前記補強部材は、前記ユニットベースが有する前記接合部の前記通気部を塞ぐ第一閉塞部と、前記ユニットカバーが有する前記接合部の前記通気部を塞ぐ第二閉塞部と、前記第一閉塞部と前記第二閉塞部とをつなぐ架橋部とを備える請求項４に記載の照明装置。
【請求項７】
前記架橋部に開口部が形成されており、
空気が前記架橋部の前記開口部を通って前記ユニット本体の外部空間と前記放熱フィンとの間を移動可能である請求項６に記載の照明装置。
【請求項８】
前記ユニットベースの面に対して垂直な方向から見たときに、前記架橋部の前記開口部の寸法は、前記開口部に向かい合う前記放熱フィンの端部と、当該放熱フィンの隣の前記放熱フィンの端部との間の距離よりも大きい請求項７に記載の照明装置。
【請求項９】
前記複数の前記照明ユニットとして、互いに連結された第一照明ユニット及び第二照明ユニットを備え、
前記第一照明ユニットの前記通気部と、前記第二照明ユニットの前記通気部とが隣り合っている請求項１から請求項８のいずれか一項に記載の照明装置。
【請求項１０】
前記第一照明ユニットの前記通気部を形成する切欠きと、前記第二照明ユニットの前記通気部を形成する切欠きとが合わさって一つの開口を形成している請求項９に記載の照明装置。
【請求項１１】
前記複数の前記照明ユニットとして、互いに連結された第一照明ユニット及び第二照明ユニットを備え、
前記第一照明ユニット及び前記第二照明ユニットは、前記通気部の周りを囲むように配置される枠状の連結部材を介して連結されている請求項１から請求項１０のいずれか一項に記載の照明装置。
【請求項１２】
前記ユニット本体の中心軸に対して平行な方向から見たときに、前記放熱フィンは、前記通気部の領域へ食み出した部分を有する請求項１から請求項１１のいずれか一項に記載の照明装置。
【請求項１３】
前記ユニット本体は、前記ユニット本体の中心軸を介して互いに反対側に位置する二箇所に前記接合部を備える請求項１から請求項１２のいずれか一項に記載の照明装置。
【請求項１４】
前記ユニット本体は、前記ユニット本体の中心軸に対して四方に位置する四箇所に前記接合部を備える請求項１から請求項１２のいずれか一項に記載の照明装置。
【請求項１５】
行列状に配置された複数の前記照明ユニットを備える請求項１から請求項１４のいずれか一項に記載の照明装置。
【発明の詳細な説明】
【技術分野】
【０００１】
本発明は、照明装置に関する。
【背景技術】
【０００２】
例えば発光ダイオード（ＬＥＤ）のような半導体光源を用いた照明装置が広く用いられている。半導体光源は、発熱により温度が高くなると、エネルギー効率が低下したり、寿命が短くなったりする。照明装置は、光源の温度上昇を抑制するために、光源の熱を散逸させる放熱フィンを備える。
【０００３】
特許文献１には、複数の照明ユニットを連結することにより、部品共通化を図りながら、大光束の照明装置を構成する構造が提案されている。
【先行技術文献】
【特許文献】
【０００４】
【特許文献１】特許第６２７６４９５号公報
【発明の概要】
【発明が解決しようとする課題】
【０００５】
特許文献１に開示された照明装置では、照明ユニット同士の間に隙間を設けるようにして複数の照明ユニットを連結している。このため、照明装置全体の寸法を小型化しにくいという課題がある。
【０００６】
また、特許文献１に開示された照明ユニットを、隙間を設けずに複数連結した照明装置を構成したと仮定すると、照明装置の中央部分の放熱フィンに空気が流れにくくなるため、光源の温度が上昇しやすい。光源の温度が上昇すると、省エネルギー性が低下したり、照明装置の寿命が短くなったりする可能性がある。
【０００７】
本発明は、上述のような課題を解決するためになされたもので、複数の照明ユニットが連結された場合に、光源の温度上昇を抑制することと、照明装置全体の寸法の拡大を抑制することとを両立する上で有利になる照明装置を提供することを目的とする。
【課題を解決するための手段】
【０００８】
本発明に係る照明装置は、複数連結可能な照明ユニットを備える照明装置であって、照明ユニットは、ユニット本体と、ユニット本体に支持された光源基板と、ユニット本体に支持され、光源基板で発生した熱を散逸させる放熱フィンと、を備え、ユニット本体は、照明ユニットが他の照明ユニットと連結されたときに他の照明ユニットと向かい合う接合部を備え、接合部は、切欠きまたは開口により形成された通気部を有し、複数の照明ユニットが連結されたときに空気が通気部を通ってユニット本体の外部空間と放熱フィンとの間を移動可能であるものである。
【発明の効果】
【０００９】
本発明によれば、複数の照明ユニットが連結された場合に、光源の温度上昇を抑制することと、照明装置全体の寸法の拡大を抑制することとを両立する上で有利になる照明装置を提供することが可能となる。
【図面の簡単な説明】
【００１０】
【図１】実施の形態１による照明装置を斜め下から見た斜視図である。
【図２】図１に示す照明装置の一部を斜め上から見た分解斜視図である。
【図３】図１に示す照明装置の一部を示す断面平面図である。
【図４】図１に示す照明装置の一部を示す側面図である。
【図５】実施の形態２による照明装置を斜め下から見た斜視図である。
【図６】実施の形態３による照明装置を斜め上から見た斜視図である。
【図７】実施の形態４による照明装置を斜め上から見た斜視図である。
【図８】実施の形態５による照明装置を斜め上から見た斜視図である。
【図９】実施の形態６による照明装置を斜め上から見た斜視図である。
【発明を実施するための形態】
【００１１】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１２】
実施の形態１．
図１は、実施の形態１による照明装置１Ａを斜め下から見た斜視図である。図１に示す実施の形態１の照明装置１Ａは、天井に設置され、下へ向けて光を照射する。以下の説明では、照明装置１Ａが使用されるときの姿勢を基準として、上及び下の方向を特定する。本実施の形態における照明装置１Ａは、特に、工場、倉庫、体育館、競技施設などの高い天井に設置して使用することに適する。
【００１３】
照明装置１Ａは、照明ユニット２を備える。本実施の形態における照明装置１Ａは、照明ユニット２を一つだけ備えるが、後の実施の形態で説明するように、連結された複数の照明ユニット２を備えた照明装置を構成することが可能である。
【００１４】
照明ユニット２は、ユニット本体３と、光源基板４と、光源基板４で発生した熱を散逸させる放熱フィン５とを備える。光源基板４及び放熱フィン５は、ユニット本体３に支持されている。灯軸ＡＸは、照明ユニット２の中心軸に相当する。典型的には、照明装置１Ａは、灯軸ＡＸが鉛直線に平行となるように設置される。
【００１５】
ユニット本体３は、板状のユニットベース６と、板状のユニットカバー７と、支柱８とを備える。ユニットベース６及びユニットカバー７の面は、灯軸ＡＸに対して垂直である。
【００１６】
以下の説明では、灯軸ＡＸに平行な方向を「灯軸方向」と称する。灯軸方向から見たときのユニットベース６及びユニットカバー７の形状は、実質的に正方形である。ユニットベース６とユニットカバー７とは、灯軸ＡＸに平行に延びる支柱８により、互いに連結されている。支柱８は、ユニットベース６及びユニットカバー７の四隅にそれぞれ設置されている。
【００１７】
変形例として、灯軸方向から見たときのユニットベース６及びユニットカバー７の形状が、実質的に、長方形、円形、または楕円形でもよい。ユニットベース６及びユニットカバー７は、灯軸方向から見たときに、実質的に同じ形状及び寸法を有することが望ましい。
【００１８】
ユニットベース６の下面に光源基板４が固定されている。光源基板４は、光源となる発光素子４ａを備える。本実施の形態では、複数の発光素子４ａが１個の光源基板４上に実装されている。光源基板４には、複数の発光素子４ａに給電するための導電パターンが形成されている。光源基板４は、ユニットベース６の下面に対して熱伝導可能となるように設けられている。発光素子４ａで発生した熱は、光源基板４からユニットベース６へ熱伝導する。光源基板４は、ユニットベース６の下面に対して、直接接していてもよいし、熱伝導性材料を介して接触してもよい。本明細書において、熱伝導性材料は、例えば、熱伝導性グリス、熱伝導性シート、熱伝導性接着剤、熱伝導性両面粘着テープのいずれかでもよい。
【００１９】
光源基板４は、発光ダイオード（ＬＥＤ）を発光素子４ａとして利用したものでもよい。例えば、光源基板４は、表面実装型ＬＥＤパッケージ、砲弾型ＬＥＤパッケージ、配光レンズ付きＬＥＤパッケージ、チップ・スケール・パッケージのＬＥＤ、チップ・オン・ボード（ＣＯＢ）タイプのＬＥＤパッケージのうちの少なくとも一種を用いてもよい。また、光源基板４は、ＬＥＤを利用したものに限らず、例えば、有機エレクトロルミネセンス（ＥＬ）素子または半導体レーザなどを利用したものでもよい。
【００２０】
ユニットベース６の上に複数の放熱フィン５が配置されている。ユニットベース６及び放熱フィン５は、発光素子４ａで発生した熱を周囲の空気へ散逸させることにより、発光素子４ａを冷却する。放熱フィン５は、光源基板４とは反対側のユニットベース６の面から突出する。すなわち、放熱フィン５は、ユニットベース６の上面から突出する。本実施の形態における放熱フィン５は、板状の形状を有する。放熱フィン５の面は、灯軸ＡＸに対して垂直である。
【００２１】
本実施の形態では、灯軸方向から見たときに、複数の放熱フィン５が放射状に配置されている。複数の放熱フィン５のそれぞれは、ユニットベース６の中央領域から外側へ向かって延びる。本実施の形態では、一枚のシートメタルをコの字型に折り曲げることにより形成された一つの部品により、隣り合う二枚の放熱フィン５が構成されている。当該部品がユニットベース６に対して固定されている。このような構成に限らず、一枚一枚の放熱フィン５を別々の部品としてもよい。ユニットベース６に放熱フィン５を固定する方法は、例えば、カシメ固定、ねじ止め、接着、溶接、ろう接など、いかなる方法でもよい。また、ユニットベース６及び放熱フィン５を、例えばダイカスト方式などにより、一体成形してもよい。また、変形例として、複数の板状の放熱フィン５が互いに平行に配置されてもよい。他の変形例として、放熱フィン５は、ピン形の形状を有するピンフィンでもよい。
【００２２】
光源基板４の発光素子４ａで発生した熱は、ユニットベース６へ熱伝導し、ユニットベース６から放熱フィン５へさらに熱伝導する。ユニットベース６及び放熱フィン５の表面から周囲の空気へ熱が散逸する。ユニットベース６及び放熱フィン５によってヒートシンクの表面積を大きくすることで、発光素子４ａで発生した熱を効率良く散逸させることができる。その結果、発光素子４ａの温度を低くできるので、発光素子４ａのエネルギー効率すなわち発光効率が向上するとともに、発光素子４ａの寿命を長くできる。
【００２３】
また、ユニットベース６の熱は、支柱８を伝って、ユニットカバー７へ熱伝導する。本実施の形態であれば、ユニットカバー７の表面からも周囲の空気へ熱を散逸させることができるので、発光素子４ａの温度を低くする上でより有利になる。なお、変形例として、ユニットベース６から放熱フィン５へ熱を移動させるヒートパイプが備えられてもよい。
【００２４】
本実施の形態では、自然対流により放熱フィン５の表面に沿って流れる気流が発生する。変形例として、放熱フィン５へ送風する送風ファンを設け、強制的に気流を発生させるようにしてもよい。
【００２５】
ユニット本体３は、典型的には、例えば、アルミニウム、アルミニウム合金、ステンレス鋼、銅、銅合金などの金属材料で作られている。変形例として、ユニット本体３の少なくとも一部が熱伝導性樹脂材料で作られていてもよい。熱伝導性樹脂材料は、熱伝導性フィラーが樹脂材料に練り込まれたものでもよい。
【００２６】
複数の放熱フィン５の上にユニットカバー７が配置されている。ユニットカバー７は、ユニットベース６に対して、複数の放熱フィン５を間に挟んで反対側に位置する。ユニットカバー７は、複数の放熱フィン５に接触することなく複数の放熱フィン５の上を覆う。本実施の形態であれば、ユニットカバー７を備えたことで、以下の効果が得られる。照明装置１Ａの上から降りかかる埃あるいは油分等をユニットカバー７で受けることで、埃あるいは油分等からなる汚れがユニットベース６の上面及び複数の放熱フィン５の表面に付着及び堆積することを防止できる。上記汚れの影響によるユニットベース６及び放熱フィン５の放熱効率の低下を確実に軽減できる。照明装置１Ａが天井のような高所に設置された場合には、ユニットベース６及び放熱フィン５の頻繁な清掃を行うことが困難である。ユニットベース６及び放熱フィン５を頻繁に清掃しなくても、上記汚れがユニットベース６の上面及び複数の放熱フィン５の表面に堆積することをユニットカバー７により防止できる。
【００２７】
ユニットベース６とユニットカバー７との間に形成される開口を空気が通ることにより、放熱フィン５が位置するユニット本体３の内部空間と、ユニット本体３の外部空間との間を空気が移動可能である。これにより、優れた放熱効果が得られる。
【００２８】
本実施の形態の照明装置１Ａは、電源装置９を備える。電源装置９は、実質的に直方体の外形を有する筐体と、当該筐体の内部に配置された回路基板などを備える。電源装置９は、ユニットカバー７の上面に固定されている。電源装置９は、発光素子４ａを点灯させる直流電力を生成する点灯回路を備える。電源装置９の点灯回路は、例えば商用電源から供給される交流電力から直流電力を生成する電源回路を含む。電源装置９から給電線を介して光源基板４へ電力が供給されることで、発光素子４ａが点灯する。変形例として、照明装置１Ａは、上記のような電源装置９を備えないものでもよい。すなわち、照明装置１Ａは、照明装置１Ａの外部に配置された電源装置から直流電力の供給を受けることによって発光素子４ａを点灯させるものでもよい。
【００２９】
本実施の形態の照明装置１Ａは、透光カバー１０を備える。透光カバー１０は、光源基板４の全体を覆っている。発光素子４ａから発せられた光は、透光カバー１０を透過して、照明装置１Ａの外部へ照射される。透光カバー１０は、ユニットベース６に取り付けられている。本実施の形態であれば、透光カバー１０を備えたことで、汚れあるいは水などから光源基板４を確実に保護することができる。透光カバー１０は、光を正透過させる、透明材料で作られていてもよい。または、透光カバー１０は、光を拡散透過させるものでもよい。透光カバー１０は、例えば、ポリカーボネート樹脂、アクリル系樹脂、ポリスチレン樹脂などの樹脂材料、またはガラス材料で作られていてもよい。透光カバー１０の表面に、経年劣化の抑制に有利な、例えばハードコート処理のようなコーティング処理が施されてもよい。透光カバー１０は、防水性を有してもよい。透光カバー１０とユニットベース６との接合部に、防水性を有するシール材または接着剤が備えられてもよい。当該シール材または接着剤は、例えば、軟性樹脂材料、シリコーン系などのシーリング材料、ゴム系材料などで構成されてもよい。
【００３０】
本実施の形態における照明装置１Ａは、補強部材１１を備える。補強部材１１は、ユニットベース６と、ユニットカバー７との間に掛け渡すように、ユニット本体３に対して取り付け可能である。本実施の形態であれば、補強部材１１を備えたことで、照明装置１Ａの強度及び剛性を向上することができる。本実施の形態では、灯軸ＡＸを間に挟んで反対側に位置する２箇所に補強部材１１が設置されている。
【００３１】
補強部材１１は、ユニットベース６に固定された第一閉塞部１１ａと、ユニットカバー７に固定された第二閉塞部１１ｂと、第一閉塞部１１ａと第二閉塞部１１ｂとをつなぐ架橋部１１ｃとを備える。第一閉塞部１１ａは、ユニットベース６の面に平行な板状の形状を有する。第二閉塞部１１ｂは、ユニットカバー７の面に平行な板状の形状を有する。架橋部１１ｃは、灯軸ＡＸに対して平行に延びる板状の形状を有する。
【００３２】
本実施の形態における照明装置１Ａは、アーム１２を備える。アーム１２は、補強部材１１に連結されている。アーム１２は、補強部材１１を介してユニット本体３を支持する。アーム１２は、細長い板状の基部１２ａと、基部１２ａの両端から突出する一対の支持部１２ｂとを有する。アーム１２は、金属板を曲げ加工することにより作られていてもよい。支持部１２ｂは、基部１２ａの長手方向に対して垂直な方向に突出する。建物の天井面または梁のような取付面に対して基部１２ａをボルトなどにより固定することで、照明装置１Ａを取付面に対して固定することができる。図示の例では、ボルトを挿通するための孔が基部１２ａに形成されている。
【００３３】
支持部１２ｂの先端部分は、２本のボルト１３，１４により、補強部材１１の架橋部１１ｃに対してそれぞれ固定されている。支持部１２ｂの先端部分には、ボルト１３を中心とする円弧状に湾曲した長孔１２ｃが形成されている。ボルト１４は、長孔１２ｃに挿通されている。
【００３４】
図１では、アーム１２の基部１２ａの面が灯軸ＡＸに対して垂直になっている。天井面または梁のような取付面が水平である場合には、図１に示す状態で基部１２ａを取付面に対して固定することにより、光源基板４及びユニットベース６が水平になるように照明装置１Ａを設置できる。
【００３５】
ボルト１３，１４を緩めると、アーム１２が、補強部材１１に対して、ボルト１３を中心として所定角度範囲で回転可能になる。アーム１２を回転させた後にボルト１３，１４を再び締め付けると、アーム１２の基部１２ａの面が光源基板４及びユニットベース６に対して傾斜した状態にすることができる。天井面または梁のような取付面が水平面に対して傾斜している場合には、取付面に合わせて基部１２ａを傾斜させた状態にすることにより、光源基板４及びユニットベース６が水平になるように照明装置１Ａを設置できる。
【００３６】
図２は、図１に示す照明装置１Ａの一部を斜め上から見た分解斜視図である。図２は、補強部材１１からアーム１２を取り外し、かつユニット本体３から補強部材１１を取り外した状態を示す。
【００３７】
図２に示すように、ユニット本体３は、接合部６ａ，７ａを備える。接合部６ａ，７ａは、照明ユニット２が他の照明ユニット２と連結されたときに、他の照明ユニット２と向かい合う部位に相当する。後の実施の形態で説明するように、照明ユニット２同士が連結される場合には、一方の照明ユニット２の接合部６ａ，７ａを、他方の照明ユニット２の接合部６ａ，７ａと結合することにより、照明ユニット２同士を連結することができる。
【００３８】
接合部６ａ，７ａは、ユニット本体３の側面部に形成される縁部に相当する。照明ユニット２同士が連結されたときに、接合部６ａ，７ａは、他方の照明ユニット２の接合部６ａ，７ａと向かい合う。
【００３９】
本実施の形態では、ユニットベース６が接合部６ａを備え、ユニットカバー７が接合部７ａを備える。本実施の形態であれば、ユニットベース６とユニットカバー７との双方が接合部６ａ，７ａを備えたことで、照明ユニット２同士を連結したときの連結部の強度及び剛性を高くする上で有利になる。
【００４０】
接合部６ａは、通気部６ｂを有する。本実施の形態における通気部６ｂは、接合部６ａにより形成される縁部の一部を切り取った切欠きに相当している。変形例として、接合部６ａを貫通する孔によって通気部６ｂを構成してもよい。
【００４１】
接合部７ａは、通気部７ｂを有する。本実施の形態における通気部７ｂは、接合部７ａにより形成される縁部の一部を切り取った切欠きに相当している。変形例として、接合部７ａを貫通する孔によって通気部７ｂを構成してもよい。
【００４２】
後の実施の形態で説明するように、複数の照明ユニット２が連結されたときには、空気が、通気部６ｂ，７ｂを通って、放熱フィン５が位置するユニット本体３の内部空間と、ユニット本体３の外部空間との間を移動可能である。これにより、複数の照明ユニット２が連結されたときの放熱効果の低下を確実に抑制することができ、発光素子４ａの温度を低くする上で有利になる。
【００４３】
ユニット本体３は、通気部６ｂと、通気部７ｂとのいずれか一方のみを備えたものでもよい。本実施の形態のように、ユニット本体３が通気部６ｂと通気部７ｂとの双方を備える場合には、特に優れた放熱効果が得られる。
【００４４】
本実施の形態におけるユニット本体３は、ユニット本体３の中心軸すなわち灯軸ＡＸを介して互いに反対側に位置する二箇所に接合部６ａ，７ａを備えており、各接合部６ａ，７ａには通気部６ｂ，７ｂが形成されている。灯軸方向から見たときのユニット本体３の四辺、すなわちユニットベース６及びユニットカバー７の四辺のうち、互いに平行な二辺のそれぞれに接合部６ａ，７ａ及び通気部６ｂ，７ｂが形成されている。
【００４５】
本実施の形態では、複数のネジ１５により、補強部材１１の第一閉塞部１１ａがユニットベース６の接合部６ａに対して固定される。接合部６ａには、複数のネジ孔６ｃが形成されている。第一閉塞部１１ａには、複数のネジ孔１１ｄが形成されている。ネジ孔１１ｄ及びネジ孔６ｃに挿通したネジ１５を締め付けることにより、第一閉塞部１１ａを接合部６ａに固定することができる。
【００４６】
本実施の形態では、複数のネジ１６により、補強部材１１の第二閉塞部１１ｂがユニットカバー７の接合部７ａに対して固定される。接合部７ａには、複数のネジ孔７ｃが形成されている。第二閉塞部１１ｂには、複数のネジ孔１１ｅが形成されている。ネジ孔１１ｅ及びネジ孔７ｃに挿通したネジ１６を締め付けることにより、第二閉塞部１１ｂを接合部７ａに固定することができる。
【００４７】
上述したように、本実施の形態では、ユニット本体３に対して補強部材１１をネジ止めにより固定しているが、例えばカシメ固定、接着、溶接、ろう接などの他の固定方法を用いて両者を固定してもよい。
【００４８】
アーム１２の支持部１２ｂには、ボルト１３を通すためのボルト孔１２ｄが形成されている。補強部材１１の架橋部１１ｃには、ボルト１３を通すためのボルト孔１１ｇと、ボルト１４を通すためのボルト孔１１ｈとが形成されている。
【００４９】
図１に示すように、補強部材１１がユニット本体３に取り付けられた状態では、第一閉塞部１１ａが通気部６ｂを塞ぐとともに、第二閉塞部１１ｂが通気部７ｂを塞ぐ。本実施の形態では、第一閉塞部１１ａは、他の照明ユニット２と連結されていない接合部６ａの通気部６ｂを塞ぐ閉塞部材に相当し、第二閉塞部１１ｂは、他の照明ユニット２と連結されていない接合部７ａの通気部７ｂを塞ぐ閉塞部材に相当する。本実施の形態であれば、接合部６ａ，７ａが他の照明ユニット２と連結されていない場合に、当該接合部６ａ，７ａの通気部６ｂ，７ｂを補強部材１１の第一閉塞部１１ａ及び第二閉塞部１１ｂにより塞ぐことができるので、照明装置１Ａの意匠性を向上する上で有利になる。また、照明装置１Ａの強度及び剛性を向上する上でも有利になる。
【００５０】
補強部材１１の架橋部１１ｃに開口部１１ｆが形成されている。本実施の形態では、空気が、この開口部１１ｆを通って、放熱フィン５が位置するユニット本体３の内部空間と、ユニット本体３の外部空間との間を移動可能である。これにより、放熱効率の向上に有利になり、発光素子４ａの温度を低くする上で有利になる。
【００５１】
図３は、図１に示す照明装置１Ａの一部を示す断面平面図である。図３は、灯軸ＡＸに垂直な平面で開口部１１ｆの位置を切断した平面図に相当する。図４は、図１に示す照明装置１Ａの一部を示す側面図である。図４は、補強部材１１の架橋部１１ｃに正対した位置から見た側面図に相当する。
【００５２】
図３に示すように、灯軸方向から見たときに、一部の放熱フィン５は、ユニットベース６の通気部６ｂの領域へ食み出した部分である突出部５ａを有する。これにより、以下の効果が得られる。接合部６ａが他の照明ユニット２と連結されている場合に、通気部６ｂを通過する空気が、放熱フィン５の突出部５ａに当たりやすくなる。その結果、放熱フィン５による放熱効果をさらに向上することができる。
【００５３】
なお、図示を省略するが、灯軸方向から見たときに、突出部５ａは、ユニットカバー７の通気部７ｂの領域へ食み出す。これにより、以下の効果が得られる。接合部７ａが他の照明ユニット２と連結されている場合に、通気部７ｂを通過する空気が、放熱フィン５の突出部５ａに当たりやすくなる。その結果、放熱フィン５による放熱効果をさらに向上することができる。
【００５４】
図３及び図４中の寸法Ｌ１は、ユニットベース６の面に対して垂直な方向から見たとき、すなわち灯軸方向から見たときの、架橋部１１ｃの開口部１１ｆの最大寸法に相当する。図３及び図４中の距離Ｌ２は、開口部１１ｆに向かい合う放熱フィン５の端部と、当該放熱フィン５の隣の放熱フィン５の端部との間の距離に相当する。本実施の形態では、上記寸法Ｌ１は、上記距離Ｌ２よりも大きい。これにより、以下の効果が得られる。開口部１１ｆを通って放熱フィン５同士の間に流入する空気の量を多くすることができるので、放熱フィン５による放熱効果をさらに向上することができる。
【００５５】
実施の形態２．
次に、図５を参照して、実施の形態２について説明するが、前述した実施の形態１との相違点を中心に説明し、同一部分または相当部分については説明を簡略化または省略する。図５は、実施の形態２による照明装置１Ｂを斜め下から見た斜視図である。図５に示すように、本実施の形態の照明装置１Ｂは、互いに連結された二つの照明ユニット２を備える。二つの照明ユニット２は、互いに同様の構成を有する。本実施の形態であれば、複数の照明ユニット２を連結することにより、部品共通化を図りながら、大光束の照明装置１Ｂを構成することができる。
【００５６】
以下では、説明の都合上、二つの照明ユニット２のうち、一方を第一照明ユニット２Ａと称し、他方を第二照明ユニット２Ｂと称する。第一照明ユニット２Ａと第二照明ユニット２Ｂとの連結部においては、通気部６ｂ，７ｂを空気が通過可能である。空気は、通気部６ｂを通って、放熱フィン５が位置するユニット本体３の内部空間と、ユニットベース６よりも下の外部空間との間を流れることができる。また、空気は、通気部７ｂを通って、放熱フィン５が位置するユニット本体３の内部空間と、ユニットカバー７よりも上の外部空間との間を流れることができる。仮に通気部６ｂ，７ｂが無かったとすると、第一照明ユニット２Ａと第二照明ユニット２Ｂとの連結部に近い位置にある放熱フィン５に気流が当たりにくくなる可能性がある。これに対し、本実施の形態であれば、通気部６ｂ，７ｂを空気が通過可能であるので、当該放熱フィン５に気流を確実に当てることができる。それゆえ、放熱フィン５の放熱効果の低下を確実に抑制することができ、発光素子４ａの温度を低くする上で有利になる。その結果、発光素子４ａの発光効率が良好になるとともに、発光素子４ａの寿命を長くする上で有利になる。また、第一照明ユニット２Ａと第二照明ユニット２Ｂとの間隔を大きくしなくても、空気の流路を通気部６ｂ，７ｂによって確保できる。このため、第一照明ユニット２Ａと第二照明ユニット２Ｂとの間隔を大きくする必要がないので、照明装置１Ｂ全体の寸法を抑制する上で有利になる。
【００５７】
第一照明ユニット２Ａのユニット本体３の接合部６ａ，７ａは、第二照明ユニット２Ｂのユニット本体３の接合部６ａ，７ａに対して接することが望ましい。複数のユニット本体３を連結する場合に、ユニット本体３の接合部６ａ，７ａ同士が接するようにすることで、照明装置１Ｂ全体の寸法を抑制する上でさらに有利になる。また、ユニット本体３の接合部６ａ，７ａ同士が接することで、連結部の強度及び剛性を向上することができる。本実施の形態であれば、ユニット本体３の接合部６ａ，７ａ同士が接するように複数のユニット本体３を連結した場合であっても、通気部６ｂ，７ｂを空気が通過可能であるので、放熱フィン５の放熱効果の低下を確実に抑制することができる。
【００５８】
第一照明ユニット２Ａと第二照明ユニット２Ｂとの連結部においては、第一照明ユニット２Ａの通気部６ｂと第二照明ユニット２Ｂの通気部６ｂとが隣り合っており、第一照明ユニット２Ａの通気部７ｂと第二照明ユニット２Ｂの通気部７ｂとが隣り合っている。これにより、通気部６ｂ，７ｂを通る空気の流量を多くすることができるので、放熱性能をさらに向上できる。
【００５９】
本実施の形態では、第一照明ユニット２Ａの通気部６ｂを形成する切欠きと、第二照明ユニット２Ｂの通気部６ｂを形成する切欠きとが合わさって一つの開口を形成している。これにより、当該開口を円滑に空気が通過できるので、放熱性能をさらに向上できる。同様に、第一照明ユニット２Ａの通気部７ｂを形成する切欠きと、第二照明ユニット２Ｂの通気部７ｂを形成する切欠きとが合わさって一つの開口を形成している。これにより、当該開口を円滑に空気が通過できるので、放熱性能をさらに向上できる。
【００６０】
照明装置１Ｂは、枠状の連結部材１７を備える。第一照明ユニット２Ａのユニット本体３と、第二照明ユニット２Ｂのユニット本体３とは、連結部材１７を介して、互いに連結されている。連結部材１７は、複数のネジ１５により、双方のユニット本体３に対して固定されている。連結部材１７は、第一照明ユニット２Ａの通気部６ｂと、第二照明ユニット２Ｂの通気部６ｂとの周りを囲むように配置されている。連結部材１７の内側を空気が通過可能であるので、通気部６ｂを通る気流を妨げることがなく連結部材１７を配置できる。連結部材１７は、第一照明ユニット２Ａのユニットベース６の下面と、第二照明ユニット２Ｂのユニットベース６の下面とに跨るように配置されている。図５では見えない位置にあるが、もう一つの連結部材１７が、第一照明ユニット２Ａのユニットカバー７の上面と、第二照明ユニット２Ｂのユニットカバー７の上面とに跨るように配置されている。当該連結部材１７は、第一照明ユニット２Ａの通気部７ｂと、第二照明ユニット２Ｂの通気部７ｂとの周りを囲むように配置されている。これにより、通気部７ｂを通る気流を妨げることがなく連結部材１７を配置できる。
【００６１】
第一照明ユニット２Ａのユニット本体３には、連結部材１７とは反対側の位置に、補強部材１１が取り付けられている。第二照明ユニット２Ｂのユニット本体３には、連結部材１７とは反対側の位置に、補強部材１１が取り付けられている。これらの二つの補強部材１１に跨るように、アーム１２が取り付けられている。
【００６２】
ユニット本体３は、ユニット本体３の中心軸を介して互いに反対側に位置する二箇所に接合部６ａ，７ａを備えており、各接合部６ａ，７ａには通気部６ｂ，７ｂが形成されている。これにより、複数のユニット本体３を一列に連ねるように配置した場合に、ユニット本体３同士が連結する各連結部分に通気部６ｂ，７ｂを配置できる。
【００６３】
上述したように、本実施の形態では、各照明ユニット２の接合部６ａ，７ａのうち、他の照明ユニット２と連結されていない接合部６ａ，７ａには、補強部材１１が取り付けられている。これにより、当該接合部６ａ，７ａの通気部６ｂ，７ｂを補強部材１１により塞ぐことができるので、照明装置１Ｂの意匠性を向上する上で有利になる。また、照明装置１Ｂの強度及び剛性を向上する上でも有利になる。
【００６４】
実施の形態３．
次に、図６を参照して、実施の形態３について説明するが、前述した実施の形態との相違点を中心に説明し、同一部分または相当部分については説明を簡略化または省略する。図６は、実施の形態３による照明装置１Ｃを斜め上から見た斜視図である。
【００６５】
図６に示す本実施の形態の照明装置１Ｃは、実施の形態２の照明装置１Ｂと比べて、アーム１２の取り付け方が異なる。照明装置１Ｃは、第一照明ユニット２Ａのユニット本体３の角部と、第二照明ユニット２Ｂのユニット本体３の角部とに跨るように取り付けられた補強部材１８をさらに備える。補強部材１８は、連結部材１７を間に挟んで、互いに反対側となる二箇所に設置されている。これらの二箇所の補強部材１８に跨るように、アーム１２が取り付けられている。
【００６６】
本実施の形態であれば、第一照明ユニット２Ａのユニット本体３と、第二照明ユニット２Ｂのユニット本体３とが、連結部材１７に加えて補強部材１８によっても連結される。このため、ユニット本体３同士の連結部の強度及び剛性をさらに向上できる。
【００６７】
前述した補強部材１１と同じ部品を補強部材１８として用いてもよい。そのようにすることで、部品共通化が図れる。また、補強部材１１とは異なる形状の部品を補強部材１８として用いてもよい。
【００６８】
実施の形態４．
次に、図７を参照して、実施の形態４について説明するが、前述した実施の形態との相違点を中心に説明し、同一部分または相当部分については説明を簡略化または省略する。図７は、実施の形態４による照明装置１Ｄを斜め上から見た斜視図である。
【００６９】
図７に示す本実施の形態の照明装置１Ｄは、実施の形態３の照明装置１Ｃと比べて、ユニット本体３の形状が異なる。照明装置１Ｄが備える第一照明ユニット２Ｃ及び第二照明ユニット２Ｄのユニット本体３は、灯軸方向から見たときに実質的に円形の形状を有する。すなわち、本実施の形態では、灯軸方向から見たときのユニットベース６及びユニットカバー７の形状が実質的に円形である。
【００７０】
本実施の形態における補強部材１８は、実施の形態３の照明装置１Ｃの補強部材１８と比べて、灯軸方向に垂直な方向の寸法が長い。このため、補強部材１１とは異なる形状の部品を補強部材１８として用いている。
【００７１】
実施の形態５．
次に、図８を参照して、実施の形態５について説明するが、前述した実施の形態１との相違点を中心に説明し、同一部分または相当部分については説明を簡略化または省略する。図８は、実施の形態５による照明装置１Ｅを斜め上から見た斜視図である。
【００７２】
図８に示す本実施の形態の照明装置１Ｅが備える照明ユニット２のユニット本体３は、ユニット本体３の中心軸すなわち灯軸ＡＸに対して四方に位置する四箇所に接合部６ａ，７ａを備えており、各接合部６ａ，７ａには通気部６ｂ，７ｂが形成されている。灯軸方向から見たとき、四箇所の接合部６ａ，７ａは、９０°間隔の等角度間隔に配置される。灯軸方向から見たときのユニット本体３の四辺、すなわちユニットベース６及びユニットカバー７の四辺のそれぞれに接合部６ａ，７ａ及び通気部６ｂ，７ｂが形成されている。
【００７３】
照明装置１Ｅは、実施の形態１の補強部材１１に加えて、補強部材１９をさらに備える。補強部材１９は、補強部材１１が取り付けられていない二箇所の通気部６ｂ，７ｂにそれぞれ取り付けられている。補強部材１９は、補強部材１１と類似の形状を有する。補強部材１９は、通気部６ｂを塞ぐ閉塞部材に相当する第一閉塞部１９ａと、通気部７ｂを塞ぐ閉塞部材に相当する第二閉塞部１９ｂと、第一閉塞部１９ａと第二閉塞部１９ｂとをつなぐ架橋部１９ｃとを備える。架橋部１９ｃには、空気が通過可能な開口部１９ｄが形成されている。補強部材１９は、アーム１２を取り付けるためのボルト孔を有しない点で補強部材１１と異なる。開口部１９ｄは、補強部材１１の開口部１１ｆよりも大きい。
【００７４】
本実施の形態であれば、接合部６ａ，７ａが他の照明ユニット２と連結されていない場合に、当該接合部６ａ，７ａの通気部６ｂ，７ｂを補強部材１１，１９により塞ぐことができるので、照明装置１Ｅの意匠性を向上する上で有利になる。また、照明装置１Ｅの強度及び剛性を向上する上でも有利になる。
【００７５】
実施の形態６．
次に、図９を参照して、実施の形態６について説明するが、前述した実施の形態との相違点を中心に説明し、同一部分または相当部分については説明を簡略化または省略する。図９は、実施の形態６による照明装置１Ｆを斜め上から見た斜視図である。
【００７６】
図９に示す本実施の形態の照明装置１Ｆは、実施の形態５と同様の照明ユニット２を複数備える。本実施の形態では、４個の照明ユニット２が、２行×２列の行列状に並ぶように連結されている。本実施の形態では、灯軸方向から見て、複数の照明ユニット２が、ｍ行×ｎ列の行列状に並ぶように連結可能である。ここで、ｍ，ｎは、２以上の整数である。本実施の形態であれば、複数の照明ユニット２を行列状に連結することで、部品共通化を図りながら、より大きい光束の照明装置１Ｆを構成することができる。
【００７７】
以下では、説明の便宜上、複数の照明ユニット２が並ぶ一つの方向を「行方向」と称し、行方向に直交する方向であって複数の照明ユニット２が並ぶ方向を「列方向」と称する。
【００７８】
行方向に隣り合う照明ユニット２同士は、実施の形態２と同様の連結部材１７を介して連結されている。列方向に隣り合う照明ユニット２同士は、実施の形態２と同様の連結部材１７を介して連結されている。各連結部材１７の内側の通気部６ｂ，７ｂを空気が流れることで、照明ユニット２同士の連結部の近くにある放熱フィン５にも気流を確実に当てることができる。その結果、放熱性を良好にすることができる。
【００７９】
実施の形態５で説明したように、各照明ユニット２のユニット本体３は、ユニット本体３の中心軸に対して四方に位置する四箇所に接合部６ａ，７ａ及び通気部６ｂ，７ｂを備えている。これにより、行方向に隣り合う照明ユニット２同士の間に通気部６ｂ，７ｂを形成できるとともに、列方向に隣り合う照明ユニット２同士の間に通気部６ｂ，７ｂを形成できる。その結果、放熱性をさらに良好にすることができる。
【００８０】
本実施の形態の照明装置１Ｆは、実施の形態３と同様の補強部材１８を二箇所に備え、その二箇所の補強部材１８に跨るように、アーム１２が取り付けられている。また、各照明ユニット２の接合部６ａ，７ａのうち、他の照明ユニット２と連結されていない接合部６ａ，７ａには、補強部材１９が取り付けられている。これにより、当該接合部６ａ，７ａの通気部６ｂ，７ｂを補強部材１９により塞ぐことができるので、照明装置１Ｆの意匠性を向上する上で有利になる。また、照明装置１Ｆの強度及び剛性を向上する上でも有利になる。
【符号の説明】
【００８１】
１Ａ，１Ｂ，１Ｃ，１Ｄ，１Ｅ，１Ｆ  照明装置、  ２  照明ユニット、  ２Ａ  第一照明ユニット、  ２Ｂ  第二照明ユニット、  ２Ｃ  第一照明ユニット、  ２Ｄ  第二照明ユニット、  ３  ユニット本体、  ４  光源基板、  ４ａ  発光素子、  ５  放熱フィン、  ５ａ  突出部、  ６  ユニットベース、  ６ａ，７ａ  接合部、  ６ｂ，７ｂ  通気部、  ６ｃ  ネジ孔、  ７  ユニットカバー、  ７ｃ  ネジ孔、  ８  支柱、  ９  電源装置、  １０  透光カバー、  １１  補強部材、  １１ａ  第一閉塞部、  １１ｂ  第二閉塞部、  １１ｃ  架橋部、  １１ｄ  ネジ孔、  １１ｅ  ネジ孔、  １１ｆ  開口部、  １１ｇ  ボルト孔、  １１ｈ  ボルト孔、  １２  アーム、  １２ａ  基部、  １２ｂ  支持部、  １２ｃ  長孔、  １２ｄ  ボルト孔、  １３，１４  ボルト、  １５  ネジ、  １６  ネジ、  １７  連結部材、  １８  補強部材、  １９  補強部材、  １９ａ  第一閉塞部、  １９ｂ  第二閉塞部、  １９ｃ  架橋部、  １９ｄ  開口部
【図１】
2020042919.tif 000003
【図２】
2020042919.tif 000004
【図３】
2020042919.tif 000005
【図４】
2020042919.tif 000006
【図５】
2020042919.tif 000007
【図６】
2020042919.tif 000008
【図７】
2020042919.tif 000009
【図８】
2020042919.tif 000010
【図９】
2020042919.tif 000011